(57)【要約】【課題】煩わしい操作を実施させることなく嗜好に合うコンテンツデータを迅速に出力可能なデジタルテレビの提供。【解決手段】デジタルテレビ３０を構成する出力制御装置６０の制御部４６は、コンテンツ開始日時が現在日時よりも前の選択コンテンツの選択情報を取得して、選択コンテンツ待機時間が事前取得基準時間である１０分未満となったことを認識すると、サブ電源３２をオンしてコンテンツ取得手段６２に予め選択コンテンツを取得させてコンテンツデータの復号化およびデータ処理をさせる選択コンテンツの準備処理を実施する。【選択図】図１
2009225143.tif 000002
【特許請求の範囲】
【請求項１】
供給される電力で動作し、所定の配信装置から配信されるコンテンツデータを取得するコンテンツ取得手段と、
供給される電力で動作し、前記コンテンツ取得手段で取得されたコンテンツデータを出力する出力手段と、を備えた出力装置に設けられる出力制御装置であって、
利用者による前記出力装置の利用状況に応じて生成され、所定のコンテンツデータの配信日時および配信装置を特定するためのコンテンツ配信情報を記憶する記憶手段と、
この記憶手段から現在日時よりも前の配信日時に関する前記コンテンツ配信情報を取得する配信情報取得手段と、
この配信情報取得手段で取得されたコンテンツ配信情報に基づく配信日時から現在日時までの配信待機時間が事前取得基準時間未満であることを認識すると、前記コンテンツ取得手段への電力の供給を開始して、前記コンテンツ配信情報に基づく配信装置で配信中のコンテンツデータの取得を開始させるコンテンツ取得制御手段と、
を具備したことを特徴とする出力制御装置。
【請求項２】
請求項１に記載の出力制御装置において、
前記配信装置は、符号化されたコンテンツデータを配信し、
前記コンテンツ取得制御手段は、前記配信待機時間が前記事前取得基準時間未満であることを認識すると、前記コンテンツ取得手段に前記配信中の符号化されたコンテンツデータを取得させて復号化させる
ことを特徴とする出力制御装置。
【請求項３】
請求項１または請求項２に記載の出力制御装置において、
前記コンテンツ取得制御手段は、前記コンテンツ取得手段によるコンテンツデータの取得開始後に、前記出力手段に電力が供給されることなく、前記コンテンツ配信情報の配信日時から経過後基準時間が経過したことを認識した場合、前記コンテンツ取得手段への電力の供給を終了する
ことを特徴とする出力制御装置。
【請求項４】
請求項１ないし請求項３のいずれかに記載の出力制御装置において、
前記出力装置の近傍に利用者が存在するか否かを検知する利用者検知手段を具備し、
前記コンテンツ取得制御手段は、前記コンテンツ取得手段によるコンテンツデータの取得開始後に、前記出力手段に電力が供給されることなく、前記コンテンツ配信情報の配信日時が経過し、かつ、前記利用者検知手段で前記利用者が存在する旨が検出されてから経過後検出基準時間が経過したことを認識した場合、前記コンテンツ取得手段への電力の供給を終了する
ことを特徴とする出力制御装置。
【請求項５】
請求項１ないし請求項４のいずれかに記載の出力制御装置において、
前記出力装置の近傍に利用者が存在するか否かを検知する利用者検知手段を具備し、
前記コンテンツ取得制御手段は、前記コンテンツ取得手段によるコンテンツデータの取得開始後から前記コンテンツ配信情報の配信日時が経過する前までの間に、前記出力手段に電力が供給されることなく、前記利用者検知手段で前記利用者が存在する旨が検出されてから経過前検出基準時間が経過したことを認識すると、前記コンテンツ取得手段への電力の供給を終了する
ことを特徴とする出力制御装置。
【請求項６】
請求項１ないし請求項５のいずれかに記載の出力制御装置において、
前記出力手段で前記コンテンツデータを出力させる旨の操作を認識すると、前記出力手段への電力の供給を開始して、前記コンテンツ取得手段で取得されたコンテンツデータを出力させる出力制御手段を具備した
ことを特徴とする出力制御装置。
【請求項７】
供給される電力で動作し、所定の配信装置から配信されるコンテンツデータを取得するコンテンツ取得手段と、
供給される電力で動作し、前記コンテンツ取得手段で取得されたコンテンツデータを出力する出力手段と、
請求項１ないし請求項６のいずれかに記載の出力制御装置と、
を具備したことを特徴とする出力装置。
【請求項８】
供給される電力で動作し、所定の配信装置から配信されるコンテンツデータを取得するコンテンツ取得手段と、
供給される電力で動作し、前記コンテンツ取得手段で取得されたコンテンツデータを出力する出力手段と、を備えた出力装置に設けられた演算手段にて、前記出力装置を制御する出力制御方法であって、
前記演算手段は、
利用者による前記出力装置の利用状況に応じて生成され、所定のコンテンツデータの配信日時および配信装置を特定するためのコンテンツ配信情報が記憶された記憶手段から、現在日時よりも前の配信日時に関する前記コンテンツ配信情報を取得し、
この取得されたコンテンツ配信情報に基づく配信日時から現在日時までの配信待機時間が事前取得基準時間未満であることを認識すると、前記コンテンツ取得手段への電力の供給を開始して、前記コンテンツ配信情報に基づく配信装置で配信中のコンテンツデータの取得を開始させる
ことを特徴とする出力制御方法。
【請求項９】
請求項８に記載の出力制御方法を演算手段に実行させる
ことを特徴とする出力制御プログラム。
【請求項１０】
演算手段を請求項１ないし請求項６のいずれかに記載の出力制御装置として機能させる
ことを特徴とする出力制御プログラム。
【請求項１１】
請求項９または請求項１０に記載の出力制御プログラムが演算手段にて読取可能に記録された
ことを特徴とする出力制御プログラムを記録した記録媒体。
【発明の詳細な説明】
【技術分野】
【０００１】
本発明は、出力制御装置、その方法、そのプログラム、そのプログラムを記録した記録媒体、および、出力装置に関する。
【背景技術】
【０００２】
従来、テレビジョン装置でコンテンツを取得して表示させるさまざまな制御が検討されている。（例えば、特許文献１〜３参照）。
【０００３】
特許文献１に記載のものは、テレビ電源オン時にテレビ番組表を使用して予め設定されたユーザのお気に入りの番組を検索し、優先度が最も高い番組を選局して画面に表示させる構成が採られている。
【０００４】
特許文献２に記載のものは、ユーザによりテレビジョン放送受信装置の電源スイッチがオンされると、デジタル放送受信モジュールの電源を投入するとともに、電源投入時刻を２次記憶装置に記録する。さらに、ユーザによりテレビジョン放送受信装置の電源スイッチがオフされると、このときの電源切断時刻と、２次記憶装置に記録された電源投入時刻から、次にユーザが電源を投入すると思われる電源投入予測時刻を予測する。そして、電源投入予測時刻になった際にテレビジョン放送受信装置の電源が未投入の場合、デジタル放送受信モジュールの電源を投入して、映像や音声を受信する構成が採られている。
【０００５】
特許文献３に記載のものは、テレビジョン装置の電源オン状態のときに視聴予約番組の開始時間になると視聴予約番組のチャンネルに自動的に切り替える視聴予約機能と、電源オン予約番組の開始時間になるとテレビジョン装置の電源を自動的に投入して電源オン予約番組のチャンネルに自動的に切り替える自動電源オン予約機能と、録画予約機能とを備えている。そして、テレビジョン装置の電源オフ信号が検出されたときに、視聴予約が設定されている場合、視聴予約をキャンセルするか、自動電源オン予約または録画予約に変更するかの選択を促す構成が採られている。
【０００６】
【特許文献１】特開２００４−２３２１９号公報
【特許文献２】特開２００５−１９１８１５号公報
【特許文献３】特開２００７−２７８５０号公報
【発明の開示】
【発明が解決しようとする課題】
【０００７】
しかしながら、特許文献１のような構成では、電源オンしてから番組を選局して表示させるため、番組表示までの待ち時間が長くなるおそれがある。また、特許文献２のような構成では、スイッチオンの時刻のみを予測しているため、自動的にスイッチオンしたときにユーザが見たいチャンネルが選局されないおそれがある。さらに、特許文献３のような構成では、電源オフごとに操作をしなくてはならいので、その操作が煩わしいおそれがある。
【０００８】
本発明は、煩わしい操作を実施させることなく嗜好に合うコンテンツデータを迅速に出力可能な出力制御装置、その方法、そのプログラム、そのプログラムを記録した記録媒体、および、出力装置を提供することを１つの目的とする。
【課題を解決するための手段】
【０００９】
請求項１に記載の発明は、供給される電力で動作し、所定の配信装置から配信されるコンテンツデータを取得するコンテンツ取得手段と、供給される電力で動作し、前記コンテンツ取得手段で取得されたコンテンツデータを出力する出力手段と、を備えた出力装置に設けられる出力制御装置であって、利用者による前記出力装置の利用状況に応じて生成され、所定のコンテンツデータの配信日時および配信装置を特定するためのコンテンツ配信情報を記憶する記憶手段と、この記憶手段から現在日時よりも前の配信日時に関する前記コンテンツ配信情報を取得する配信情報取得手段と、この配信情報取得手段で取得されたコンテンツ配信情報に基づく配信日時から現在日時までの配信待機時間が事前取得基準時間未満であることを認識すると、前記コンテンツ取得手段への電力の供給を開始して、前記コンテンツ配信情報に基づく配信装置で配信中のコンテンツデータの取得を開始させるコンテンツ取得制御手段と、を具備したことを特徴とする出力制御装置である。
【００１０】
請求項７に記載の発明は、供給される電力で動作し、所定の配信装置から配信されるコンテンツデータを取得するコンテンツ取得手段と、供給される電力で動作し、前記コンテンツ取得手段で取得されたコンテンツデータを出力する出力手段と、請求項１ないし請求項６のいずれかに記載の出力制御装置と、を具備したことを特徴とする出力装置である。
【００１１】
請求項８に記載の発明は、供給される電力で動作し、所定の配信装置から配信されるコンテンツデータを取得するコンテンツ取得手段と、供給される電力で動作し、前記コンテンツ取得手段で取得されたコンテンツデータを出力する出力手段と、を備えた出力装置に設けられた演算手段にて、前記出力装置を制御する出力制御方法であって、前記演算手段は、利用者による前記出力装置の利用状況に応じて生成され、所定のコンテンツデータの配信日時および配信装置を特定するためのコンテンツ配信情報が記憶された記憶手段から、現在日時よりも前の配信日時に関する前記コンテンツ配信情報を取得し、この取得されたコンテンツ配信情報に基づく配信日時から現在日時までの配信待機時間が事前取得基準時間未満であることを認識すると、前記コンテンツ取得手段への電力の供給を開始して、前記コンテンツ配信情報に基づく配信装置で配信中のコンテンツデータの取得を開始させることを特徴とする出力制御方法である。
【００１２】
請求項９に記載の発明は、請求項８に記載の出力制御方法を演算手段に実行させることを特徴とする出力制御プログラムである。
【００１３】
請求項１０に記載の発明は、演算手段を請求項１ないし請求項６のいずれかに記載の出力制御装置として機能させることを特徴とする出力制御プログラムである。
【００１４】
請求項１１に記載の発明は、請求項９または請求項１０に記載の出力制御プログラムが演算手段にて読取可能に記録されたことを特徴とする出力制御プログラムを記録した記録媒体である。
【発明を実施するための最良の形態】
【００１５】
以下、本発明の一実施形態を図面に基づいて説明する。
なお、本実施形態では、本発明の出力装置として、コンテンツデータの映像データおよび音声データを出力する映像音声出力システムを例示して説明する。
【００１６】
［映像音声出力システムの構成］
まず、映像音声出力システムの構成について説明する。
図１は、本発明の一実施形態に係る映像音声出力システムの概略構成を示すブロック図である。図２は、選択情報の概略構成を示す模式図である。
【００１７】
図１に示すように、出力装置としての映像音声出力システム１は、配信装置としての放送局２からアンテナ３を介して入力されるコンテンツデータを取得して出力する。ここで、放送局２は、例えばＭＰＥＧ（Motion Picture Experts Group）規格に準拠して符号化されたコンテンツデータを配信する。
そして、映像音声出力システム１は、リモートコントローラ（リモコン）１０と、照度センサ１６と、人感センサ１８と、デジタルテレビ３０と、図示しないスタンバイ電源と、を備えている。
【００１８】
リモコン１０は、操作手段１２と、振動センサ１４と、を備えている。操作手段１２は、図示しない操作ボタンなどを有し、この操作ボタンの入力操作に応じた操作信号をデジタルテレビ３０へ出力する。振動センサ１４は、例えば利用者（ユーザ）がリモコン１０を持ったり操作したときなどの振動を検知して、その旨の振動信号をデジタルテレビ３０へ出力する。
照度センサ１６は、デジタルテレビ３０の設置空間としての部屋の照度を検知して、その旨の照度信号をデジタルテレビ３０へ出力する。
人感センサ１８は、ユーザから放射される熱の変化を検知して、その旨の人感信号をデジタルテレビ３０へ出力する。
そして、振動センサ１４と、照度センサ１６と、人感センサ１８と、により、デジタルテレビ３０の近傍にユーザが存在するか否かを検知する利用者検知手段としてのユーザセンサ２０が構成されている。また、照度センサ１６および人感センサ１８は、スタンバイ電源から供給される電力により常時駆動する。
【００１９】
デジタルテレビ３０は、サブ電源３２と、メイン電源３４と、デジタルチューナ入力処理手段３６と、映像音声処理ブロック３８と、映像出力部４０と、音声出力部４２と、記憶手段としての選択情報メモリ４４と、演算手段としての制御部４６と、を備えている。そして、ユーザセンサ２０と、選択情報メモリ４４と、制御部４６とにより、出力制御装置６０が構成されている。また、デジタルチューナ入力処理手段３６と、映像音声処理ブロック３８とにより、コンテンツ取得手段６２が構成されている。さらに、映像出力部４０と、音声出力部４２とにより、出力手段６４が構成されている。
【００２０】
サブ電源３２は、制御部４６の制御により、デジタルチューナ入力処理手段３６と、映像音声処理ブロック３８と、に電力を供給する。
メイン電源３４は、制御部４６の制御により、映像出力部４０と、音声出力部４２と、に電力を供給する。
なお、以下において、デジタルチューナ入力処理手段３６と映像音声処理ブロック３８とにサブ電源３２から電力が供給されている状態をサブ電源３２のオン状態、供給されていない状態をオフ状態と適宜称す。また、映像出力部４０と音声出力部４２とにメイン電源３４から電力が供給されている状態をメイン電源３４のオン状態、供給されていない状態をオフ状態と適宜称す。
【００２１】
デジタルチューナ入力処理手段３６は、サブ電源３２から供給される電力により動作して、制御部４６の制御により、アンテナ３を介して所定の放送局２からの符号化されたコンテンツデータを取得する。そして、このコンテンツデータを復号化して映像音声処理ブロック３８へ出力する。
映像音声処理ブロック３８は、サブ電源３２から供給される電力により動作して、制御部４６の制御により、デジタルチューナ入力処理手段３６からのコンテンツデータを取得する。そして、映像の画質やサイズを調整するように映像データを処理して映像出力部４０へ出力し、音質を調整するように音声データを処理して音声出力部４２へ出力する。
【００２２】
映像出力部４０および音声出力部４２は、メイン電源３４から供給される電力により動作する。そして、映像出力部４０は、制御部４６の制御により、映像音声処理ブロック３８からの映像データに基づく映像を出力、すなわち表示する。ここで、映像出力部４０としては、ＰＤＰ（Plasma Display Panel）、有機ＥＬ（Electro Luminescence）パネル、液晶パネルなどが例示できる。また、音声出力部４２は、制御部４６の制御により、映像音声処理ブロック３８からの音声データに基づく音声を出力する。
【００２３】
選択情報メモリ４４には、図２に示すような少なくとも１個のコンテンツ配信情報としての選択情報７０が記憶されている。
選択情報７０には、ユーザの映像音声出力システム１の利用状況に応じて選択されたコンテンツ（選択コンテンツ）の配信日時（コンテンツ開始日時）および放送局２（チャンネル）に関する内容が記録されている。すなわち、選択情報７０は、曜日に関する曜日情報７２と、時刻に関する時刻情報７４と、選択コンテンツのチャンネルに関するチャンネル情報７６と、を備えている。
【００２４】
制御部４６は、スタンバイ電源から供給される電力により常時駆動する。この制御部４６は、各種プログラムにより構成され、選択情報生成手段４８と、計時手段５０と、配信情報取得手段としての選択情報取得手段５２と、コンテンツ取得制御手段５４と、出力制御手段５６と、を備えている。
【００２５】
選択情報生成手段４８は、選択情報７０を生成して、選択情報メモリ４４に記憶させる。具体的には、選択情報生成手段４８は、ユーザによるリモコン１０の操作手段１２の入力操作に基づいて、選択情報７０を生成する。また、選択情報生成手段４８は、ユーザの視聴履歴に基づいて、視聴頻度が高いコンテンツを認識し、このコンテンツに関する選択情報７０を生成する。
なお、選択情報生成手段４８において、例えばユーザが過去に視聴したコンテンツに関連するコンテンツ、例えば過去に特定の女優が出演したコンテンツを視聴している場合、ＥＰＧ（Electronic Program Guide）などの番組表を利用して、この女優が出演している他のコンテンツに関する選択情報７０を生成してもよい。さらには、ユーザにより設定されたキーワードと、番組表とに基づいて、キーワードに対応するコンテンツの選択情報７０を生成してもよい。つまり、選択情報７０としては、映像音声出力システム１の利用状況に応じて生成されたものを適用することができる。
【００２６】
計時手段５０は、現在日時を計時する。
選択情報取得手段５２は、コンテンツ取得制御手段５４の制御に基づいて、いずれか１つの選択情報７０を選択情報メモリ４４から取得する。
コンテンツ取得制御手段５４は、サブ電源３２をオンして、デジタルチューナ入力処理手段３６により、選択情報７０に基づく選択コンテンツの放送局２、あるいは、サブ電源３２およびメイン電源３４のオフ時に選局されていた放送局２（以下、最終選局チャンネルと称す）を選局させる。さらに、この放送局２からコンテンツデータを取得させて復号化させ、映像音声処理ブロック３８に映像データおよび音声データを処理させる。
出力制御手段５６は、メイン電源３４をオンして、映像出力部４０で映像を表示させるとともに、音声出力部４２で音声を出力させる。また、出力制御手段５６は、ユーザのリモコン１０の入力操作に基づいて、メイン電源３４をオンするが映像出力部４０で映像を表示させない映像ミュート処理、あるいは、音声出力部４２で音声を出力させない音声ミュート処理をする。
なお、コンテンツ取得制御手段５４および出力制御手段５６の処理の詳細については、後述する。
【００２７】
［映像音声出力システムの動作］
次に、映像音声出力システム１の動作を説明する。図３および図４は、映像音声出力システムの動作を示すフローチャートである。なお、以下の動作説明における具体的な時間は一例に過ぎず、任意の時間を適用することができる。
【００２８】
デジタルテレビ３０の制御部４６のコンテンツ取得制御手段５４は、図３に示すように、サブ電源３２およびメイン電源３４のオフ時に選択情報取得手段５２で取得されていた選択情報７０、および、最終選局チャンネルを認識して（ステップＳ１）、サブ電源３２およびメイン電源３４をオンするユーザ操作が実施されたか否かを判断する（ステップＳ２）。
このステップＳ２において、ユーザ操作が実施されたと判断した場合、コンテンツ取得制御手段５４は、サブ電源３２をオンして、コンテンツ取得手段６２に最終選局チャンネルのコンテンツ（以下、最終選局コンテンツと称す）を取得させる（ステップＳ３）。すなわち、コンテンツ取得制御手段５４は、コンテンツ取得手段６２に、最終選局チャンネルからのコンテンツデータの復号化、映像データおよび音声データの処理を実施させる。そして、出力制御手段５６は、メイン電源３４をオンして、出力手段６４に最終選局コンテンツを出力させる（ステップＳ４）。この後、制御部４６は、図４に示すように、電源オフ操作を認識するとサブ電源３２およびメイン電源３４をオフにして、次の選択情報７０および最終選局チャンネルを認識して（ステップＳ５）、処理を終了する。
【００２９】
一方、図３に示すように、ステップＳ２において、コンテンツ取得制御手段５４は、ユーザ操作が実施されていないと判断した場合、ユーザセンサ２０に変化があったか否か、すなわち振動センサ１４、照度センサ１６、人感センサ１８のうち少なくともいずれか１個でユーザを検知したか否かを判断する（ステップＳ６）。
このステップＳ６において、ユーザセンサ２０に変化があったと判断した場合、コンテンツ取得制御手段５４は、サブ電源３２をオンしてコンテンツ取得手段６２に予め最終選局コンテンツを取得させ、コンテンツデータの復号化、データ処理をさせる最終選局コンテンツの準備処理をする（ステップＳ７）。この後、出力制御手段５６は、ユーザセンサ２０の変化から１分経過したか否かを判断する（ステップＳ８）。
【００３０】
このステップＳ８において、出力制御手段５６は、１分経過していないと判断した場合、メイン電源３４をオンする旨のユーザ操作が実施されたか否かを判断する（ステップＳ９）。そして、ステップＳ９において、ユーザ操作が実施されたと判断した場合、ステップＳ４の処理をする。また、ステップＳ９において、ユーザ操作が実施されていないと判断した場合、ステップＳ８に戻る。
さらに、ステップＳ８において、出力制御手段５６で１分経過したと判断した場合、コンテンツ取得制御手段５４は、ステップＳ６の処理をする。
また、コンテンツ取得制御手段５４は、ステップＳ６において、ユーザセンサ２０に変化がないと判断した場合、取得されている選択情報７０と、計時手段５０で計時する現在日時とに基づいて、選択コンテンツが開始されるまでの選択コンテンツ開始待機時間が事前取得基準時間である１０分未満か否かを判断する（ステップＳ１０）。ここで、選択コンテンツ開始待機時間は本発明の配信待機時間に対応する。
このステップＳ１０において、１０分未満でないと判断した場合、ステップＳ６に戻る。一方、ステップＳ１０において、１０分未満であると判断した場合、コンテンツ取得制御手段５４は、図４に示すように、サブ電源３２をオンして、コンテンツ取得手段６２に予め選択情報７０に基づく選択コンテンツを取得させ、コンテンツデータの復号化、データ処理をさせる選択コンテンツの準備処理をする（ステップＳ１１）。
【００３１】
つまり、制御部４６は、選択コンテンツ開始待機時間が１０分以上であり、かつ、サブ電源３２およびメイン電源３４をオンする旨のユーザ操作を認識した場合、最終選局コンテンツを出力させる。
また、制御部４６は、選択コンテンツ開始待機時間が１０分以上であり、かつ、サブ電源３２およびメイン電源３４をオンする旨のユーザ操作を認識する前に、ユーザセンサ２０に変化があったことを認識した場合、サブ電源３２でコンテンツ取得手段６２のみを動作させて最終選局コンテンツを準備しておき、メイン電源３４をオンする旨を認識したら出力手段６４で最終選局コンテンツを出力させる。
【００３２】
コンテンツ取得制御手段５４は、ステップＳ１１の処理の後にユーザセンサ２０に変化があったか否かを判断する（ステップＳ１２）、そして、ステップＳ１２において、ユーザセンサ２０に変化がないと判断した場合、メイン電源３４をオンする旨のユーザ操作が実施されたか否かを判断する（ステップＳ１３）。そして、ステップＳ１３において、ユーザ操作が実施されたと判断した場合、出力制御手段５６は、メイン電源３４をオンして、出力手段６４にコンテンツ取得手段６２で準備されている選局コンテンツを出力させて（ステップＳ１４）、ステップＳ５の処理をする。また、ステップＳ１３において、ユーザ操作が実施されていないと判断した場合、選択コンテンツの開始から経過後基準時間である１０分が経過したか否かを判断する（ステップＳ１５）。
そして、ステップＳ１５において、コンテンツ取得制御手段５４は、１０分が経過したと判断した場合、最終選局チャンネル、および、コンテンツ開始日時までの時間が現在取得中の選択情報７０の次に短い選択情報７０を認識し、サブ電源３２をオフして（ステップＳ１６）、処理を終了する。
【００３３】
また、コンテンツ取得制御手段５４は、ステップＳ１５において、１０分が経過していないと判断した場合、ステップＳ１２に戻る。
さらに、コンテンツ取得制御手段５４は、ステップＳ１２において、ユーザセンサ２０に変化があったと判断した場合、選択コンテンツの準備処理を継続して（ステップＳ１７）、選択コンテンツの開始時刻が過ぎたか否かを判断する（ステップＳ１８）。
このステップＳ１８において、開始時刻を過ぎていないと判断した場合、ユーザセンサ２０の変化から経過後検出基準時間である５分が経過したか否かを判断する（ステップＳ１９）。そして、ステップＳ１９において、５分経過したと判断した場合、コンテンツ取得制御手段５４は、ステップＳ１６の処理をする。
【００３４】
また、ステップＳ１９において、コンテンツ取得制御手段５４で５分経過していないと判断した場合、出力制御手段５６は、メイン電源３４をオンするユーザ操作が実施されたか否かを判断する（ステップＳ２０）。そして、ステップＳ２０において、ユーザ操作が実施されたと判断した場合、出力制御手段５６は、ステップＳ１４の処理を実施する。
一方、ステップＳ２０において、出力制御手段５６でユーザ操作が実施されていないと判断した場合、コンテンツ取得制御手段５４は、ステップＳ１８の処理をする。さらに、コンテンツ取得制御手段５４は、ステップＳ１８において、選択コンテンツの開始時刻が過ぎたと判断した場合、ユーザセンサ２０の変化から経過前検出基準時間である１分が経過したか否かを判断する（ステップＳ２１）。そして、ステップＳ２１において、１分経過したと判断した場合、ステップＳ１６の処理をする。また、ステップＳ２１において、コンテンツ取得制御手段５４で１分が経過していないと判断した場合、出力制御手段５６は、ステップＳ２０と同様のユーザ操作が実施されたか否かを判断して（ステップＳ２２）、ユーザ操作が実施されたと判断した場合、ステップＳ１４の処理をする。一方、ステップＳ２２において、ユーザ操作が実施されていないと判断した場合、コンテンツ取得制御手段５４は、ステップＳ１８の処理をする。
【００３５】
［映像音声出力システムの作用効果］
以上の映像音声出力システム１によれば、以下の作用効果が期待できる。
【００３６】
（１）デジタルテレビ３０を構成する出力制御装置６０の制御部４６は、コンテンツ開始日時が現在日時よりも前の選択コンテンツの選択情報７０を取得して、選択コンテンツ待機時間が事前取得基準時間である１０分未満となったことを認識すると、サブ電源３２をオンしてコンテンツ取得手段６２に予め選択コンテンツを取得させてコンテンツデータの復号化およびデータ処理をさせる選択コンテンツの準備処理を実施する。
このため、出力制御装置６０は、ユーザ操作に基づきメイン電源３４をオンした際に、出力手段６４にコンテンツ取得手段６２で予め準備している選択コンテンツを出力させることができる。したがって、選択コンテンツ出力までの待ち時間を短くすることができる。さらに、ユーザの映像音声出力システム１の利用状況に応じて生成された選択情報７０に基づく選択コンテンツを出力させるため、ユーザの嗜好に合う選択コンテンツを出力させることができる。そして、従来のようにユーザに電源オフごとの操作を実施させることなく、選択コンテンツを迅速に出力させることができる。
【００３７】
（２）制御部４６のコンテンツ取得制御手段５４は、選択コンテンツの準備処理として、コンテンツ取得手段６２にコンテンツデータの復号化処理を実施させる。
このため、比較的処理時間が長いコンテンツデータの復号化を予め実施することにより、選択コンテンツをより迅速に出力させることができる。
【００３８】
（３）コンテンツ取得制御手段５４は、選択コンテンツの準備処理後にメイン電源３４がオンされることなく、選択コンテンツの開始時刻から経過後基準時間である１０分が経過したことを認識すると、サブ電源３２をオフにする。
このため、ユーザが外出中あるいは他の部屋にいるなどの理由でメイン電源３４がオンされる可能性が低い場合にサブ電源３２をオフにすることができ、デジタルテレビ３０の消費電力を削減できる。
【００３９】
（４）コンテンツ取得制御手段５４は、選択コンテンツの準備処理後にメイン電源３４がオンされることなく、選択コンテンツの開始時刻が経過し、かつ、ユーザセンサ２０でユーザの存在が検知されてから経過後検出基準時間である５分が経過したことを認識すると、サブ電源３２をオフにする。
このため、ユーザが選択コンテンツの開始直後まではデジタルテレビ３０の近くいたが、急用で外出したなどの理由でメイン電源３４がオンされる可能性が低い場合にサブ電源３２をオフにすることができ、デジタルテレビ３０の消費電力を削減できる。
【００４０】
（５）コンテンツ取得制御手段５４は、選択コンテンツの準備処理後から選択コンテンツの開始時刻が経過する前に、メイン電源３４がオンされることなく、ユーザセンサ２０でユーザの存在が検知されてから経過前検出基準時間である１分が経過したことを認識すると、サブ電源３２をオフにする。
このため、ユーザが選択コンテンツの開始直前まではデジタルテレビ３０の近くいたが、急用で外出したなどの理由でメイン電源３４がオンされる可能性が低い場合にサブ電源３２をオフにすることができ、デジタルテレビ３０の消費電力を削減できる。
【００４１】
（６）ユーザセンサ２０として、一般的に広く利用されている、リモコン１０に搭載された振動センサ１４、照度センサ１６、人感センサ１８を適用しているため、簡単な構成でユーザの存在を良好に検知することができる。
【００４２】
［他の実施形態］
なお、本発明は前述の一実施形態に限定されるものではなく、本発明の目的を達成できる範囲での変形、改良等は本発明に含まれるものである。
【００４３】
すなわち、ユーザを検知せずに、現在日時のみに基づいて、サブ電源３２をオンオフさせてもよい。
このような構成の場合、上述のステップＳ１，Ｓ２の処理をして、ステップＳ２においてユーザ操作ありと判断した場合、ステップＳ３〜Ｓ５の処理をする。また、ステップＳ２においてユーザ操作なしと判断した場合、ステップＳ１０の処理をする。そして、ステップＳ１０において待機時間が１０分未満であると判断した場合にステップＳ１１の処理をし、１０分以上であると判断した場合にステップＳ２の処理をする。
さらに、ステップＳ１１の処理の後にステップＳ１３の処理をして、ステップＳ１３においてユーザ操作ありと判断した場合、ステップＳ１４，Ｓ５の処理をする。一方、ステップＳ１３においてユーザ操作なしと判断した場合、ステップＳ１５の処理をする。そして、ステップＳ１５において１０分経過していないと判断した場合にステップＳ１３の処理をし、１０分経過したと判断した場合、ステップＳ１６の処理をする。
【００４４】
また、経過後基準時間、経過後検出基準時間、経過前検出基準時間のうち少なくとも１個の時間に基づいて、サブ電源３２をオフする制御を実施しなくてもよい。
そして、サブ電源３２の電力をデジタルチューナ入力処理手段３６のみに供給して、メイン電源３４の電力を映像音声処理ブロック３８、映像出力部４０、および、音声出力部４２に供給してもよい。
さらに、選択コンテンツの準備処理として、デジタルチューナ入力処理手段３６、映像音声処理ブロック３８、映像出力部４０、および、音声出力部４２に電力を供給するとともに映像ミュート処理および音声ミュート処理を実施して、映像や音声を出力させない構成としてもよい。
【００４５】
また、符号化されていないコンテンツデータを出力する構成や、映像データおよび音声データのうち少なくとも一方を取得するチューナに本発明の出力制御装置を適用してもよい。
さらに、映像データまたは音声データのみを出力する設置用あるいは携帯用の表示装置、再生装置、記録再生装置、ラジオ装置、パーソナルコンピュータ、携帯電話、ナビゲーション装置などに本発明の出力制御装置を適用してもよい。
そして、放送局２ではなく、インターネットなどのネットワークを介して接続されたサーバ装置からコンテンツデータを取得する構成に本発明の出力制御装置を適用してもよい。
【００４６】
また、上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、上述したように取扱が容易で、利用の拡大が容易に図れる。
【００４７】
その他、本発明の実施の際の具体的な構造および手順は、本発明の目的を達成できる範囲で他の構造などに適宜変更できる。
【００４８】
［実施形態の作用効果］
上記したように、デジタルテレビ３０の出力制御装置６０は、コンテンツ開始日時が現在日時よりも前の選択コンテンツの選択情報７０を取得して、選択コンテンツ待機時間が事前取得基準時間である１０分未満となったことを認識すると、サブ電源３２をオンしてコンテンツ取得手段６２に予め選択コンテンツを取得させてコンテンツデータの復号化およびデータ処理をさせる選択コンテンツの準備処理を実施する。
このため、出力制御装置６０は、ユーザ操作に基づきメイン電源３４をオンした際に、出力手段６４にコンテンツ取得手段６２で予め準備している選択コンテンツを出力させることができる。したがって、選択コンテンツ出力までの待ち時間を短くすることができる。さらに、ユーザの映像音声出力システム１の利用状況に応じて生成された選択情報７０に基づく選択コンテンツを出力させるため、ユーザの嗜好に合う選択コンテンツを出力させることができる。そして、従来のようにユーザに電源オフごとの操作を実施させることなく、選択コンテンツを迅速に出力させることができる。
【図面の簡単な説明】
【００４９】
【図１】本発明の一実施形態に係る映像音声出力システムの概略構成を示すブロック図である。
【図２】前記一実施形態における選択情報の概略構成を示す模式図である。
【図３】前記一実施形態における映像音声出力システムの動作を示すフローチャートである。
【図４】前記一実施形態における映像音声出力システムの動作を示すフローチャートである。
【符号の説明】
【００５０】
１…出力装置としての映像音声出力システム
２…配信装置としての放送局
１０…リモートコントローラ
１２…操作手段
２０…利用者検知手段としてのユーザセンサ
４４…記憶手段としての選択情報メモリ
４６…演算手段としての制御部
５２…配信情報取得手段としての選択情報取得手段
５４…コンテンツ取得制御手段
５６…出力制御手段
６０…出力制御装置
６２…コンテンツ取得手段
６４…出力手段
７０…コンテンツ配信情報としての選択情報
【図１】
2009225143.tif 000003
【図２】
2009225143.tif 000004
【図３】
2009225143.tif 000005
【図４】
2009225143.tif 000006